(57)【要約】【課題】従来の欠点が軽減され、少なくとも業界及び公衆に有用な代替品を提供できるような、衣類または衣類パーツのための胸部支持体、そのような胸部支持体を有する衣類または衣類パーツ、そのような胸部支持体を形成する方法、及び、そのような胸部支持体を有する衣類または衣類パーツを形成する方法、を提供することこと。【解決手段】衣類または衣類パーツのための胸部支持体（１０ａ，１０ｂ，５０）が、互いに回動可能に係合された少なくとも２つの支持要素（１２ａ，１２ｂ，１４ａ，１４ｂ，１６ａ，１６ｂ，５２，５４，５６，５８，６０）を含むものとして開示されている。【選択図】図１
2016211128.tif 000002
【特許請求の範囲】
【請求項１】
互いに回動可能に係合された、少なくとも１つの第１支持要素と第２支持要素とを備える
ことを特徴とする衣類または衣類パーツのための胸部支持体。
【請求項２】
前記第１支持要素と前記第２支持要素とは、ヒンジ部を介して、互いに回動可能に係合されている
ことを特徴とする請求項１に記載の胸部支持体。
【請求項３】
前記第１支持要素と前記第２支持要素とは、湾曲している
ことを特徴とする請求項１または２に記載の胸部支持体。
【請求項４】
前記第１支持要素は、ナイロン、圧縮ポリウレタン、及び／または、弾性被覆繊維からなっている
ことを特徴とする請求項１乃至３のいずれかに記載の胸部支持体。
【請求項５】
前記第２支持要素は、ナイロン、圧縮ポリウレタン、及び／または、弾性被覆繊維からなっている
ことを特徴とする請求項１乃至４のいずれかに記載の胸部支持体。
【請求項６】
前記第１支持要素と前記第２支持要素とは、同一の材料または異なる材料からなっている
ことを特徴とする請求項１乃至５のいずれかに記載の胸部支持体。
【請求項７】
前記第２支持要素と回動可能に係合された少なくとも１つの第３支持要素
を更に備えたことを特徴とする請求項１乃至６のいずれかに記載の胸部支持体。
【請求項８】
前記第３支持要素と回動可能に係合された少なくとも１つの第４支持要素と、
前記第４支持要素と回動可能に係合された第５支持要素と、
を更に備えたことを特徴とする請求項７に記載の胸部支持体。
【請求項９】
少なくとも一つの請求項１乃至８のいずれかに記載の胸部支持体を含む、衣類または衣類パーツ。
【請求項１０】
（ａ）第１支持要素を提供する工程と、
（ｂ）第２支持要素を提供する工程と、
（ｃ）前記第１支持要素を前記第２支持要素と回動可能に係合させる工程と、
を備えたことを特徴とする、衣類または衣類パーツのための胸部支持体を形成する方法。
【請求項１１】
前記第１支持要素と前記第２支持要素とは、ヒンジ部を介して、互いに回動可能に係合される
ことを特徴とする請求項１０に記載の方法。
【請求項１２】
前記第１支持要素と前記第２支持要素とは、湾曲している
ことを特徴とする請求項１０または１１に記載の方法。
【請求項１３】
前記第１支持要素は、ナイロン、圧縮ポリウレタン、及び／または、弾性被覆繊維からなっている
ことを特徴とする請求項１０乃至１２のいずれかに記載の方法。
【請求項１４】
前記第２支持要素は、ナイロン、圧縮ポリウレタン、及び／または、弾性被覆繊維からなっている
ことを特徴とする請求項１０乃至１３のいずれかに記載の方法。
【請求項１５】
前記第１支持要素と前記第２支持要素とは、同一の材料または異なる材料からなっている
ことを特徴とする請求項１０乃至１４のいずれかに記載の方法。
【請求項１６】
（ｄ）少なくとも１つの第３支持要素を前記第２支持要素と回動可能に係合させる工程
を更に備えたことを特徴とする請求項１０乃至１５のいずれかに記載の方法。
【請求項１７】
（ｅ）第４支持要素を前記第３支持要素と回動可能に係合させる工程と、
（ｆ）第５支持要素を前記第４支持要素と回動可能に係合させる工程と、
を更に備えたことを特徴とする請求項１６に記載の方法。
【請求項１８】
請求項１０乃至１７のいずれかに記載の方法によって形成された少なくとも一つの胸部支持体を、衣類または衣類パーツの中に導入する工程
を備えたことを特徴とする、衣類または衣類パーツを形成する方法。
【請求項１９】
前記少なくとも一つの胸部支持体は、前記衣類または衣類パーツの中に、型成形、縫合、及び／または、接着、によって導入される
ことを特徴とする請求項１８に記載の方法。
【発明の詳細な説明】
【技術分野】
【０００１】
本発明は、ブラジャー、裏地なしのブラジャー、水着、スポーツブラ、クロックトップ、スポーツトップ、寝間着、婦人用下着、性的衣類、矯正下着、コルセット、ウェディングドレス、及び、ブラジャーパッドを含むが、それらに限定されない、衣類または衣類パーツのための胸部支持体に関している。また、本発明は、そのような胸部支持体を有する衣類または衣類パーツ、そのような胸部支持体を形成する方法、及び、そのような胸部支持体を有する衣類または衣類パーツを形成する方法、に関している。
【０００２】
現存するブラジャーは、一般的に、着用者の胸部に支持を提供すると共に、その形状を強化（強調）するための金属またはプラスチックのワイヤを有している。そのようなワイヤは、２次元または３次元においてＵ形状であり、全体として人体の水平（水平面内）外側輪郭（曲率）に適合している。しかしながら、そのような従来のブラジャーは、以下の欠点の１以上を有している。
（ａ）２次元のＵ形状ワイヤは、着用者の体の水平外側曲率に適合するようには成形されていないので、そのようなワイヤは着用者の体に適切にフィットしない。
（ｂ）３次元のワイヤは、着用者の体の水平外側曲率に全体的に適合するが、胸部の形状は着用者毎に異なる。同じ着用者の場合でも、胸部の形状は、時間と共に変化し得る（例えば、着用者の体重の変化に依存する）。このため、２次元ワイヤが利用されているか３次元ワイヤが利用されているかに拘わらず、ブラジャーは、胸部の経路に沿って位置することで体の輪郭に密接にフィットすることができない。
（ｃ）ワイヤは、着用者のあばら骨を押し付けたり脇の下の領域の肉に食い込んだりして、着用者に不快感を引き起こす。
【発明の概要】
【発明が解決しようとする課題】
【０００３】
本発明の目的は、前述の欠点が軽減され、少なくとも業界及び公衆に有用な代替品を提供できるような、衣類または衣類パーツのための胸部支持体、そのような胸部支持体を有する衣類または衣類パーツ、そのような胸部支持体を形成する方法、及び、そのような胸部支持体を有する衣類または衣類パーツを形成する方法、を提供することである。
【課題を解決するための手段】
【０００４】
本発明の第１の特徴によれば、互いに回動可能に係合された少なくとも１つの第１支持要素と第２支持要素とを備えることを特徴とする衣類または衣類パーツのための胸部支持体、が提供される。
【０００５】
本発明の第２の特徴によれば、互いに回動可能に係合された少なくとも１つの第１支持要素と第２支持要素とを備えることを特徴とする少なくとも１つの胸部支持体、を含む衣類または衣類パーツ、が提供される。
【０００６】
本発明の第３の特徴によれば、（ａ）第１支持要素を提供する工程と、（ｂ）第２支持要素を提供する工程と、（ｃ）前記第１支持要素を前記第２支持要素と回動可能に係合させる工程と、を備えたことを特徴とする、衣類または衣類パーツのための胸部支持体を形成する方法、が提供される。
【０００７】
本発明の第４の特徴によれば、（ａ）第１支持要素を提供する工程と、（ｂ）第２支持要素を提供する工程と、（ｃ）前記第１支持要素を前記第２支持要素と回動可能に係合させる工程と、を備えた方法によって形成された少なくとも一つの胸部支持体を、衣類または衣類パーツの中に導入する工程を備えたことを特徴とする、衣類または衣類パーツを形成する方法、が提供される。
【図面の簡単な説明】
【０００８】
本発明の実施の形態が、添付の図面を参照して、例示的に説明される。
【図１】図１は、本発明の第１の実施の形態による一対の胸部支持体を示している。
【図２】図２は、図１の胸部支持体の１つの拡大側面図を示している。
【図３】図３は、図２の胸部支持体の１つの拡大平面図を示している。
【図４】図４は、着用者の胸郭の上方に、図１の胸部支持体の１つを位置決めする工程を示している。
【図５】図５は、そのような胸部支持体を含むブラジャーが着用者によって着用されている時の、図４の胸部支持体の動きを示している。
【図６】図６は、図５の胸部支持体の更なる部分拡大図を示している。
【図７】図７は、本発明の第２の実施の形態による胸部支持体を示している。
【図８】図８は、図１の胸部支持体と共に内蔵される一対のブラジャーパッドを示している。
【図９】図９は、図８の一対のブラジャーパッドの内側図である。
【図１０】図１０は、図９のブラジャーパッドの１つにおける胸部支持体の動きを示している。
【図１１】図１１乃至図１９は、図８のブラジャーパッドを製造する方法を示している。図１１は、前駆材料の第１片と、前駆材料の第２片と、を示している。
【図１２】図１２は、図１４に示されるような少なくとも２つのカップ型部を形成するように成形されるべく、成形型の上モールドと下モールドとの間に置かれた前駆材料の第１片を示している。
【図１３】図１３は、図１４に示されるような少なくとも２つのカップ型部を形成するように成形されるべく、上モールドと下モールドとの間に置かれた前駆材料の第２片を示している。
【図１４】図１４は、図１２及び図１３に示されたように形成された２つのカップ型部を示している。
【図１５】図１５は、ブラジャーパッドが組み付けられる時に成形された前駆材料の第２片と接触する、成形された前駆材料の第１片のフォーム材料の層に適用される接着剤の層を示している。
【図１６】図１６は、成形された前駆材料の第２片上に置かれた胸部支持体を示している。
【図１７】図１７は、成形された前駆材料の第１片と、成形された前駆材料の第２片と、それらの間の胸部支持体とが、成形のために上モールドと下モールドの内側に置かれた状態を示している。
【図１８】図１８は、成形された前駆材料の第１片と、成形された前駆材料の第２片と、それらの間に埋設された胸部支持体とが、図１７の成形型から開放されて一体型ラミネート材料を形成した後の状態を示している。
【図１９】図１９は、図１８の一体型ラミネート材料から切り出されることによって形成されたブラジャーパッドを示している。
【発明を実施するための形態】
【０００９】
本発明の第１の実施の形態による一対の胸部支持体が、図１に示され、それぞれ全体に符号１０ａ、１０ｂとして示されている。胸部支持体１０ａは、第１湾曲部１２ａ、第２湾曲部１４ａ、及び、第３湾曲部１６ａを有しており、それらは互いに端部間で回動可能に係合されている。特に、第１湾曲部１２ａは、第２湾曲部１４ａの一方の長手方向端部と回動可能に係合されており、第３湾曲部１６ａは、第２湾曲部１４ａの他方の長手方向端部と回動可能に係合されている。同様に、胸部支持体１０ｂは、第１湾曲部１２ｂ、第２湾曲部１４ｂ、及び、第３湾曲部１６ｂを有しており、それらは互いに端部間で回動可能に係合されている。特に、第１湾曲部１２ｂは、第２湾曲部１４ｂの一方の長手方向端部と回動可能に係合されており、第３湾曲部１６ｂは、第２湾曲部１４ｂの他方の長手方向端部と回動可能に係合されている。胸部支持体１０ａ、１０ｂは、このように、両方とも関節接合されている。
【００１０】
図２及び図３に更に詳細に示されるように、このような構成によって、胸部支持体１０ｂの第１湾曲部１２ｂは、ヒンジ部２２ｂ周りに、実線で示された位置と破線で示された位置１２ｂ’との間で、第２湾曲部１４ｂに対して回動可能である。同様に、このような構成によって、胸部支持体１０ｂの第３湾曲部１６ｂは、ヒンジ部２４ｂ周りに、実線で示された位置と破線で示された位置１６ｂ’との間で、第２湾曲部１４ｂに対して回動可能である。図２及び図３において、第１湾曲部１２ｂの自由端１８ｂと第３湾曲部１６ｂの自由端２０ｂとが異なる曲率である、ということも理解され得る。特に、第１湾曲部１２ｂの自由端１８ｂは、第３湾曲部１６ｂの自由端２０ｂよりも、曲げられ方が小さい。また、第３湾曲部１６ｂの自由端２０ｂは、２つの対向する全体に平坦な表面を有している。
【００１１】
図４及び図５を参照すると、胸部支持体１０ａが内蔵されたブラジャーの着用者の胸部Ｂの下方に当該胸部支持体１０ａが着座していて、胸部支持体１０ａの形状が着用者の胸郭の輪郭にぴったり倣っている、ということが理解され得る。胸部支持体１０の形状が着用者の胸郭の輪郭に適合しない場合には、第１湾曲部１２ａ、第２湾曲部１４ａ及び第３湾曲部１６ａが、調整の目的のため、互いに対して回動するように移動可能であり得る。
【００１２】
図６に示されるように、この構成は、第３湾曲部１６ｂ及び第２湾曲部１４ａがヒンジ部２４ｂ周りに１自由度のみで回動可能であることを許容するのみであるが、例えばヒンジ結合の代わりにボールジョイント（ボール・ソケット結合）が用いられる場合には、隣接する湾曲部間の回動運動は、２以上の自由度を許容し得る。
【００１３】
本発明の第２の実施の形態による胸部支持体が、図７に示され、全体に符号５０として示されている。胸部支持体５０は、関節接合されており、第１湾曲部５２、第２湾曲部５４、第３湾曲部５６、第４湾曲部５８、及び、第５湾曲部６０を有しており、それらは互いに端部間で回動可能に接合されている。このような構成によって、第１湾曲部５２は、第２湾曲部５４と回動可能に係合されており、当該第２湾曲部５４は、第３湾曲部５６と回動可能に係合されており、当該第３湾曲部５６は、第４湾曲部５８と回動可能に係合されており、当該第４湾曲部５８は、第５湾曲部６０と回動可能に係合されている。胸部支持体５０の形状は、湾曲部５２、５４、５６、５８、６０を互いに対して回動することによって、当該胸部支持体５０が内蔵された衣類または衣類パーツの着用者の胸郭の輪郭により一層ぴったり適合するように、調整され得る。図７に示されるように、湾曲部５２、５４、５６、５８、６０は、例えば実線で示された形状と破線で示された形状５０’との間で、胸部支持体５０の形状を変更するべく、操作され得る。
【００１４】
図８は、それぞれ全体に符号７０ａ、７０ｂとして示された、２つのブラジャーパッドの正面図である。図９は、２つのブラジャーパッド７０ａ、７０ｂの内側図である。ブラジャーパッド７０ａ、７０ｂの各々には、それぞれのブラジャーパッド７０ａ、７０ｂの下方側７２ａ、７２ｂに沿って隣接する、本発明に従う胸部支持体１０ａ、１０ｂが埋め込まれている。図１０に更に詳細に示されている通り、一例としてブラジャーパッド７０ｂを取れば、胸部支持体１０ｂが内蔵されたブラジャーパッド７０ｂを含むブラジャーが着用者に着用される時、胸部支持体１０ｂの形状とブラジャーパッド１０ｂの形状とは、着用者の胸郭の輪郭により一層ぴったり倣うように、（第１湾曲部１２ｂ、第２湾曲部１４ｂ及び第３湾曲部１６ｂを互いに対して回動することによって）変更され得る。
【００１５】
図１１乃至図１９は、本発明に従って図８の２つのブラジャーパッド７０ａ、７０ｂを製造する方法を示している。図１１は、繊維材料の層１０４と、フォーム材料の層１０６と、が互いに接着及び／または熱ラミネート加工によって固定的に係合されてなる前駆材料の第１片１０２、及び、フォーム材料の層１１０と、繊維材料の層１１２と、が互いに接着及び／または熱ラミネート加工によって固定的に係合されてなる前駆材料の第２片１０８、を示している。
【００１６】
図１２に示すように、前駆材料の第１片１０２が、（圧力によって、好適には更に熱を伴って）成形処理されるべき成形型の上モールドＭ１と下モールドＭ２との間に載置されて、図１４に示されるように、少なくとも２つのカップ型部を形成される。同様に、図１３に示すように、前駆材料の第２片１０８が、（圧力によって、好適には更に熱を伴って）成形処理されるべき上モールドＭ１と下モールドＭ２との間に載置されて、再び図１４に示されるように、少なくとも２つのカップ型部を形成される。
【００１７】
図１５に示されるように、接着剤の層１１４が、成形された前駆材料の第１片１０２のフォーム材料の層１０６に塗布される。それは、ブラジャーパッド７０ａ、７０ｂが正規に組み立てられる時、成形された前駆材料の第２片１０８に接触する。代替的または追加的に、接着剤の層が、成形された前駆材料の第２片１０８のフォーム材料の層１１０に塗布される。それは、ブラジャーパッド７０ａ、７０ｂが正規に組み立てられる時、成形された前駆材料の第１片１０２に接触する。
【００１８】
胸部支持体１０ａ、１０ｂは、その後、図１６に示されるように、成形された前駆材料の第２片１０８上に載置される。更に、図１７に示されるように、成形された前駆材料の第１片１０２と成形された前駆材料の第２片１０８とが、それらの間に胸部支持体１０ａ、１０ｂが挟まれた状態で、圧力による好適には熱を更に伴う成形処理のため上モールドＭ１と下モールドＭ２との間に載置される。胸部支持体１０ａ、１０ｂは、図１７においては、成形された前駆材料の第２片１０８から離れて図示されているが、前述した通り、胸部支持体１０ａ、１０ｂは成形された前駆材料の第２片１０８上に載置されることが理解されるべきである。
【００１９】
図１８は、上モールドＭ１及び下モールドＭ２を有する成形型から解放された後、更に一体のラミネート材料１１６を形成するべく成形処理が行われる、それらの間に胸部支持体１０ａ、１０ｂが挟まれた状態の、成形された前駆材料の第１片１０２と成形された前駆材料の第２片１０８とを示している。ブラジャーパッド７０ａ、７０ｂは、図１９に示されるように、当該一体のラミネート材料１１６から切り出されることで形成される。
【００２０】
ブラジャーパッド７０ａ、７０ｂは、ブラジャーを形成するために利用され得るし、他の衣類、例えば水着、に含まれることもできる。また、本発明は胸部支持体１０ａ、１０ｂが成形処理によってブラジャーパッド７０ａ、７０ｂ内に含まれる（内蔵される）という内容で説明されてきたが、胸部支持体１０ａ、１０ｂは縫合及び／または接着によってブラジャーパッド７０ａ、７０ｂに含まれ得る、ということが考えられる。更に、胸部支持体１０ａ、１０ｂは、成形処理、縫合及び／または接着によって、裏地なしのブラジャー、水着、スポーツブラ、クロックトップ、スポーツトップ、寝間着、婦人用下着、性的衣類、矯正下着、コルセット、ウェディングドレス、といった他の衣類や衣類パーツに直接的に含まれることもできる。
【００２１】
それによって本発明が実施され得る前述の説明は、例示的なものであって、本発明の精神から離れることなく、それらに対する様々な修正及び／または変更がなされ得ることが理解されるべきである。
【００２２】
明確性のために別箇の実施形態の内容で説明された本発明の幾つかの特徴は、単一の実施形態内に組み合わされて提供されてもよい。逆に、簡潔さのために単一の実施形態の内容で説明された本発明の様々な特徴は、別々に、あるいは、好適なサブコンビネーションとして、提供されてもよい。
【図１】
2016211128.tif 000003
【図２】
2016211128.tif 000004
【図３】
2016211128.tif 000005
【図４】
2016211128.tif 000006
【図５】
2016211128.tif 000007
【図６】
2016211128.tif 000008
【図７】
2016211128.tif 000009
【図８】
2016211128.tif 000010
【図９】
2016211128.tif 000011
【図１０】
2016211128.tif 000012
【図１１】
2016211128.tif 000013
【図１２】
2016211128.tif 000014
【図１３】
2016211128.tif 000015
【図１４】
2016211128.tif 000016
【図１５】
2016211128.tif 000017
【図１６】
2016211128.tif 000018
【図１７】
2016211128.tif 000019
【図１８】
2016211128.tif 000020
【図１９】
2016211128.tif 000021